(57)【特許請求の範囲】
【請求項１】
第１スロット及び第２スロットが第１方向に隣接して形成されるシェルフと、
第１スロット及び第２スロットの少なくともいずれか一方に挿入可能であり、前記第１方向及び前記第１スロットへの挿入方向の双方に対して垂直な方向を第２方向としたとき、前記第２方向の第１側に設けられる第１側突起部、及び、前記第２方向の前記第１側とは異なる第２側に設けられる第２側突起部のうちの少なくともいずれか一方の突起部を有し、種類に相違に応じて前記第１側突起部及び前記第２側突起部の配置パターンが異なる複数種類の電子回路基板と、
前記第１スロットに対して設けられ、前記第１方向の軸まわりに回転可能であり、前記第２スロットが空である状態で、前記第１方向の第１位置に前記第１側突起部を持つ種類の前記電子回路基板が前記第１スロットに挿入される際に、前記第１位置の第１側突起部に当接して第１角度位置から第２角度位置まで回転させられる第１当接部材と、
前記第１スロットに対して設けられ、前記第１方向の軸まわりに回転可能であり、前記第２スロットが空である状態で、前記第１方向の前記第１位置とは異なる第２位置に前記第１側突起部を持つ種類の前記電子回路基板が前記第１スロットに挿入される際に、前記第２位置の第１側突起部に当接して第１角度位置から第２角度位置まで回転させられる第２当接部材と、
前記第２スロットに対して設けられ、前記第１当接部材の第１角度位置から第２角度位置までの回転に連動して、前記第１方向の軸まわりに制限位置から退避位置まで又は退避位置から制限位置まで回転し、前記退避位置にあるときは、前記複数種類の電子回路基板のうちの任意の電子回路基板が前記第２スロットに挿入される際に、前記任意の電子回路基板の前記第２側突起部と干渉せず、前記制限位置にあるときは、前記第１方向の第３位置に前記第２側突起部を持つ種類の電子回路基板が前記第２スロットに挿入される際に、前記第３位置の前記第２側突起部と干渉して、前記第３位置に前記第２側突起部を持つ種類の前記電子回路基板の前記第２スロットへの挿入を阻む第１連動部材と、
前記第２スロットに対して設けられ、前記第２当接部材の第１角度位置から第２角度位置までの回転に連動して、前記第１方向の軸まわりに制限位置から退避位置まで又は退避位置から制限位置まで回転し、前記退避位置にあるときは、前記複数種類の電子回路基板のうちの任意の電子回路基板が前記第２スロットに挿入される際に、前記任意の電子回路基板の前記第２側突起部と干渉せず、前記制限位置にあるときは、前記第１方向の前記第３位置とは異なる第４位置に前記第２側突起部を持つ種類の電子回路基板が前記第２スロットに挿入される際に、前記第４位置の前記第２側突起部と干渉して、前記第４位置に前記第２側突起部を持つ種類の前記電子回路基板の前記第２スロットへの挿入を阻む第２連動部材とを含む、電子装置。
【請求項２】
前記第１当接部材及び前記第２当接部材は、前記第１方向で隣接して設けられ、
前記電子回路基板が前記第１スロットに挿入される際の状態で見たとき、前記第１位置の前記第１側突起部は、前記第１方向で前記第１当接部材と同一の位置にあり、前記第２位置の前記第１側突起部は、前記第１方向で前記第２当接部材と同一の位置にあり、
前記第１連動部材及び前記第２連動部材は、前記第１方向で隣接して設けられ、
前記電子回路基板が前記第２スロットに挿入される際の状態で見たとき、前記第３位置の前記第２側突起部は、前記第１方向で前記第１連動部材と同一の位置にあり、前記第４位置の前記第２側突起部は、前記第１方向で前記第２連動部材と同一の位置にある、請求項１に記載の電子装置。
【請求項３】
前記第１当接部材及び前記第１連動部材は、筒状の第１筒部材に形成され、
前記第２当接部材及び前記第２連動部材は、前記第１筒部材の内径側を通って前記第１筒部材に重なる態様で設けられる筒状の第２筒部材に形成される、請求項１に記載の電子装置。
【請求項４】
前記第１側突起部及び前記第２側突起部を異なる配置パターンで備える複数種類のブロックを備え、
前記複数種類の電子回路基板は、種類ごとに、異なる種類の前記ブロックが取り付けられる、請求項１に記載の電子装置。
【請求項５】
前記ブロックは、前記第２方向の前記第１側と前記第２側との間に前記第１方向に延在する凹部を有し、前記凹部は、前記ブロックを備える電子回路基板が前記第２スロットに挿入される際に、前記退避位置にあるときの前記第１連動部材及び前記第２連動部材を受け入れるように形成される、請求項４に記載の電子装置。
【請求項６】
第１スロット及び第２スロットが第１方向に隣接して形成されるシェルフにおける前記第１スロットに対して設けられ、前記第２スロットが空である状態で前記第１スロットに電子回路基板が挿入される際に、前記電子回路基板の種類に応じた異なるパターンで前記電子回路基板に当接し、当接した当接部材だけが第１角度位置から第２角度位置まで前記第１方向の軸まわりに回転させられる複数の当接部材と、
前記複数の当接部材のそれぞれに対応して前記第２スロットに対して設けられ、対応する前記当接部材の第１角度位置から第２角度位置までの回転に連動して、制限位置から退避位置まで又は退避位置から制限位置まで前記第１方向の軸まわりに回転し、前記制限位置にある連動部材のパターンに応じて、前記第２スロットへ挿入可能な電子回路基板の種類を異ならせる複数の連動部材とを含む、誤挿入防止装置。
【請求項７】
シェルフに形成される第１スロット及び第２スロットの並び方向を第１方向とし、前記第１方向と前記第１スロットへの挿入方向の双方に対して垂直な方向を第２方向としたとき、前記第２方向の第１側に設けられる第１側突起部、及び、前記第２方向の前記第１側とは異なる第２側に設けられる第２側突起部を含み、前記第１側突起部及び前記第２側突起部の前記第１方向の配置パターンが、取り付けられる電子回路基板の種類に応じて異なる複数種類のブロックと、
前記第１スロットに対して設けられ、前記第２スロットが空である状態で前記第１スロットに任意の種類の電子回路基板が挿入される際に、挿入される前記電子回路基板の種類に対応する種類の前記ブロックが有する前記第２側突起部の前記第１方向の位置に対応した前記第１方向の位置にある当接部材だけが、挿入される前記電子回路基板に当接し、当接した当接部材だけが第１角度位置から第２角度位置まで前記第１方向の軸まわりに回転させられる複数の当接部材と、
前記複数の当接部材のそれぞれに対応して前記第２スロットに対して設けられ、対応する前記当接部材の第１角度位置から第２角度位置までの回転に連動して、制限位置から退避位置まで又は退避位置から制限位置まで前記第１方向の軸まわりに回転し、前記制限位置にある連動部材の前記第１方向の位置に対応した前記第１方向の位置に前記第１側突起部を有する種類の前記ブロックを備える種類の電子回路基板の、前記第２スロットへの挿入を不能とする複数の連動部材と含む、誤挿入防止システム。
【発明の詳細な説明】
【技術分野】
【０００１】
本開示は、電子装置、誤挿入防止装置及び誤挿入防止システムに関する。
【背景技術】
【０００２】
パッケージの前端に鉤状に設けた正面板の左右又はいずれか一方に先端が内側に向うコ字形の誤挿入防止金物を設け、隣接するパッケージの正面板に誤挿入防止金物とのみ嵌合するキー溝を設けるパッケージ誤挿入防止構造が知られている（例えば、特許文献１参照）。
【先行技術文献】
【特許文献】
【０００３】
【特許文献１】実開平7-29889号公報
【特許文献２】実開平3-41990号公報
【特許文献３】実開昭62-201991号公報
【発明の概要】
【発明が解決しようとする課題】
【０００４】
しかしながら、上記の特許文献１に記載の構成では、パッケージを抜く際、順序通りに抜かなければならない。例えば一つのパッケージが故障し交換をする場合、そのパッケージより後に挿入したパッケージ全てを抜かなければならない。
【０００５】
そこで、開示の技術は、隣接したスロットへ挿入可能な電子回路基板の種類の組み合わせを自在に設定できると共に、隣接したスロットからの電子回路基板の取り外し順序の制約を無くすことができる電子装置等の提供を目的とする。
【課題を解決するための手段】
【０００６】
本開示の一局面によれば、第１スロット及び第２スロットが第１方向に隣接して形成されるシェルフと、
第１スロット及び第２スロットの少なくともいずれか一方に挿入可能であり、前記第１方向及び前記第１スロットへの挿入方向の双方に対して垂直な方向を第２方向としたとき、前記第２方向の第１側に設けられる第１側突起部、及び、前記第２方向の前記第１側とは異なる第２側に設けられる第２側突起部のうちの少なくともいずれか一方の突起部を有し、種類に相違に応じて前記第１側突起部及び前記第２側突起部の配置パターンが異なる複数種類の電子回路基板と、
前記第１スロットに対して設けられ、前記第１方向の軸まわりに回転可能であり、前記第２スロットが空である状態で、前記第１方向の第１位置に前記第１側突起部を持つ種類の前記電子回路基板が前記第１スロットに挿入される際に、前記第１位置の第１側突起部に当接して第１角度位置から第２角度位置まで回転させられる第１当接部材と、
前記第１スロットに対して設けられ、前記第１方向の軸まわりに回転可能であり、前記第２スロットが空である状態で、前記第１方向の前記第１位置とは異なる第２位置に前記第１側突起部を持つ種類の前記電子回路基板が前記第１スロットに挿入される際に、前記第２位置の第１側突起部に当接して第１角度位置から第２角度位置まで回転させられる第２当接部材と、
前記第２スロットに対して設けられ、前記第１当接部材の第１角度位置から第２角度位置までの回転に連動して、前記第１方向の軸まわりに制限位置から退避位置まで又は退避位置から制限位置まで回転し、前記退避位置にあるときは、前記複数種類の電子回路基板のうちの任意の電子回路基板が前記第２スロットに挿入される際に、前記任意の電子回路基板の前記第２側突起部と干渉せず、前記制限位置にあるときは、前記第１方向の第３位置に前記第２側突起部を持つ種類の電子回路基板が前記第２スロットに挿入される際に、前記第３位置の前記第２側突起部と干渉して、前記第３位置に前記第２側突起部を持つ種類の前記電子回路基板の前記第２スロットへの挿入を阻む第１連動部材と、
前記第２スロットに対して設けられ、前記第２当接部材の第１角度位置から第２角度位置までの回転に連動して、前記第１方向の軸まわりに制限位置から退避位置まで又は退避位置から制限位置まで回転し、前記退避位置にあるときは、前記複数種類の電子回路基板のうちの任意の電子回路基板が前記第２スロットに挿入される際に、前記任意の電子回路基板の前記第２側突起部と干渉せず、前記制限位置にあるときは、前記第１方向の前記第３位置とは異なる第４位置に前記第２側突起部を持つ種類の電子回路基板が前記第２スロットに挿入される際に、前記第４位置の前記第２側突起部と干渉して、前記第４位置に前記第２側突起部を持つ種類の前記電子回路基板の前記第２スロットへの挿入を阻む第２連動部材とを含む、電子装置が提供される。
【発明の効果】
【０００７】
本開示の技術によれば、隣接したスロットへ挿入可能な電子回路基板の種類の組み合わせを自在に設定できると共に、隣接したスロットからの電子回路基板の取り外し順序の制約を無くすことができる電子装置等が得られる。
【図面の簡単な説明】
【０００８】
【図１】一例による電子装置１を示す斜視図である。
【図２】図１のＡ部の拡大図である。
【図３】ブロック３０Ａ乃至３０Ｃの一例を示す図である。
【図４】組み合わせ制限表の一例を示す図である。
【図５】誤挿入防止装置４００の誤挿入防止機能の動作例（その１）を示す図である。
【図６】ブロック３０Ａが右当接部材１０３及び右連動部材２０３を回転させる様子を示す図である。
【図７】誤挿入防止装置４００の誤挿入防止機能の動作例（その２）を示す図である。
【図８】誤挿入防止装置４００の誤挿入防止機能の動作例（その３）を示す図である。
【図９】組み合わせ制限表の他の一例を示す図である。
【図１０】図９に示す組み合わせ制限表を実現するためのブロック３０Ａ乃至３０Ｃの構造を示す図である。
【図１１】誤挿入防止装置４００の単品状態の一例を示す斜視図である。
【図１２】第１カバー４５０と第１キー４１０との関係を示す断面図である
【図１３】キー組立体４０２の分解途中の状態を示す斜視図である。
【図１４】キー組立体４０２から第１カバー４５０及び第２カバー４６０を取り外した状態を示す斜視図である。
【図１５】第１キー４１０の単品状態を示す斜視図である。
【図１６】他の実施例による誤挿入防止装置５００を示す斜視図である。
【図１７】左連動部材２０１と第１カバー５５０との関係を示す断面図である。
【図１８】誤挿入防止装置５００により実現される組み合わせ制限表の一例を示す図である。
【図１９】図１８に示す組み合わせ制限表を実現するためのブロック３００Ａ乃至３００Ｃの構造を示す図である。
【図２０】誤挿入防止装置５００の誤挿入防止機能の動作例を示す図である。
【図２１】他の実施例（第３実施例）による誤挿入防止装置６００を示す斜視図である。
【図２２】誤挿入防止装置６００により実現される組み合わせ制限表の一例を示す図である。
【図２３】他の一例による電子装置２を示す斜視図である。
【発明を実施するための形態】
【０００９】
以下、添付図面を参照しながら各実施例について詳細に説明する。
【００１０】
図１は、一例による電子装置１を示す斜視図である。図２は、図１のＡ部の拡大図である。以下では、便宜上、図２に示すＸ，Ｙ，Ｚ軸を定義する。Ｚ方向は、上下方向に対応し、矢印側を上方向とする。Ｙ方向は、スロット１２への挿入方向に対応し、Ｙ方向の矢印側を入口側とし、Ｙ方向の矢印とは反対側を奥側とする。また、Ｘ方向は、左右方向に対応し、Ｘ方向の矢印側を右側とする。また、回転方向は、Ｘ方向の矢印の方向に視た時を基準として、時計方向及び反時計方向を定義する。但し、電子装置１の向きは、実際の搭載状態に応じて異なり得る。図２では、２つの電子回路基板２０が挿入される途中の状態で示されている。
【００１１】
電子装置１は、例えば光伝送装置を形成する。電子装置１は、シェルフ１０と、複数の電子回路基板２０と、左当接部材１０１と、中央当接部材１０２と、左連動部材２０１と、中央連動部材２０２とを含む。図１及び図２に示す例では、電子装置１は、更に、右当接部材１０３と、右連動部材２０３とを含む。
【００１２】
シェルフ１０は、複数の電子回路基板２０の入れ物であり、Ｘ方向（第１方向の一例）に隣接した少なくとも２つのスロット１２を含む。スロット１２は、電子回路基板２０が挿入されるシェルフ１０内の区切られた空間である。図１では、８個の全てのスロット１２に電子回路基板２０が挿入された状態が示されている。図１では、スロット１２は、一点鎖線で概略的に示されている。
【００１３】
電子回路基板２０は、カードの形態であってよい。電子回路基板２０は、基板（例えばプリント基板）上に電子回路を備える。シェルフ１０には、複数の種類の電子回路基板２０が実装可能である。電子回路基板２０の種類（実装される電子回路の種類）は、任意であるが、インタフェース用の電子回路基板や、インタフェースの切り替えを行うための電子回路基板等を含んでよい。以下では、電子回路基板２０の種類を区別する際は、電子回路基板２０に対して、符号２０Ａ乃至２０Ｄを用いて区別する。即ち、電子回路基板２０Ａ乃至２０Ｄは、それぞれ、種類が異なることを意味する。尚、本例では、電子回路基板２０の種類は、主に電子回路基板２０Ａ乃至２０Ｃの３種類であるが、２種類であってもよいし、４種類以上であってもよい。
【００１４】
以下では、説明の都合上、２つの隣接したスロット１２に着目し、２つの隣接したスロット１２について、それぞれを区別するときは、２つの隣接したスロット１２のうちの左側の方を第１スロット１２１と称し、右側の方を第２スロット１２２と称する。第１スロット１２１及び第２スロット１２２は、複数のスロット１２のうち、挿入される電子回路基板２０の種類の組み合わせを制限することが必要となる任意の隣接した２つであってよい。第１スロット１２１及び第２スロット１２２は、１つのシェルフ１０に対して複数組想定されてもよい。図２には、１組の第１スロット１２１及び第２スロット１２２のそれぞれに電子回路基板２０が挿入される途中の状態が示されている。
【００１５】
図２に示す例では、左当接部材１０１、中央当接部材１０２、右当接部材１０３、左連動部材２０１、中央連動部材２０２、右連動部材２０３、及びキー組立体４０２等は、一実施例（第１実施例）による誤挿入防止装置４００を形成する（図１１参照）。尚、キー組立体４０２は、左右の側壁４０１間で、Ｘ方向に延在する管状の部位である。キー組立体４０２の詳細は後述する。誤挿入防止装置４００は、後述のブロック３０と協動して、第１スロット１２１及び第２スロット１２２に対して挿入される電子回路基板２０の種類を規制する機能（誤挿入防止機能）を果たす。誤挿入防止機能については後述する。誤挿入防止装置４００は、シェルフ１０に取り付けられてもよいし、シェルフ１０と一体的に形成されてもよい。
【００１６】
左当接部材１０１は、第１スロット１２１に対して設けられる。左当接部材１０１は、Ｘ方向の軸９０まわりに回転可能である。図２に示す例では、左当接部材１０１は、シェルフ１０の上面よりも上方で第１スロット１２１の入口側に設けられる。左当接部材１０１の詳細は後述する。
【００１７】
中央当接部材１０２は、第１スロット１２１に対して設けられる。中央当接部材１０２は、Ｘ方向の軸９０まわりに回転可能である。図２に示す例では、中央当接部材１０２は、Ｘ方向で左当接部材１０１に隣接して設けられる。左当接部材１０１の詳細は後述する。
【００１８】
右当接部材１０３は、第１スロット１２１に対して設けられる。右当接部材１０３は、Ｘ方向の軸９０まわりに回転可能である。図２に示す例では、右当接部材１０３は、Ｘ方向で左当接部材１０１及び中央当接部材１０２に隣接して設けられる。右当接部材１０３の詳細は後述する。
【００１９】
左連動部材２０１は、第２スロット１２２に対して設けられる。左連動部材２０１は、左当接部材１０１の回転に連動してＸ方向の軸９０まわりに回転する。図２に示す例では、左連動部材２０１は、シェルフ１０の上面よりも上方で第２スロット１２２の入口側に設けられる。
【００２０】
中央連動部材２０２は、第２スロット１２２に対して設けられる。中央連動部材２０２は、中央当接部材１０２の回転に連動してＸ方向の軸９０まわりに回転する。図２に示す例では、中央連動部材２０２は、Ｘ方向で左連動部材２０１に隣接して設けられる。中央連動部材２０２の詳細は後述する。
【００２１】
右連動部材２０３は、第２スロット１２２に対して設けられる。右連動部材２０３は、右当接部材１０３の回転に連動してＸ方向の軸９０まわりに回転する。図２に示す例では、右連動部材２０３は、Ｘ方向で左連動部材２０１及び中央連動部材２０２に隣接して設けられる。右連動部材２０３の詳細は後述する。
【００２２】
尚、図１及び図２に示す例では、左当接部材１０１、中央当接部材１０２、右当接部材１０３、左連動部材２０１、中央連動部材２０２及び右連動部材２０３のそれぞれの初期位置からの回転方向は、全て時計方向である。また、左当接部材１０１、中央当接部材１０２、右当接部材１０３、左連動部材２０１、中央連動部材２０２及び右連動部材２０３の回転の中心となる軸９０は、共通である。
【００２３】
電子回路基板２０は、ブロック３０を備える。ブロック３０は、スロット１２に挿入するときの状態を基準としたときの電子回路基板２０の上端に、取り付けられる。ブロック３０は、電子回路基板２０がシェルフ１０内に挿入された状態で、シェルフ１０外に露出する。
【００２４】
ブロック３０は、誤挿入防止装置４００と組み合わせで誤挿入防止システムを形成し、誤挿入防止機能を実現する。誤挿入防止機能については後述する。
【００２５】
ブロック３０は、左右方向で３つのセクション（左側、右側、真ん中）に仮想的に分けた時、各セクションは、第１スロット１２１に対しては左当接部材１０１、中央当接部材１０２及び右当接部材１０３のそれぞれに位置が対応する。即ち、第１スロット１２１に対しては、左側のセクションは、左当接部材１０１に対応し、真ん中のセクションは、中央当接部材１０２に対応し、右側のセクションは、右当接部材１０３に対応する。また、各セクションは、第２スロット１２２に対しては左連動部材２０１、中央連動部材２０２及び右連動部材２０３のそれぞれに位置が対応する。即ち、第２スロット１２２に対しては、左側のセクションは、左連動部材２０１に対応し、真ん中のセクションは、中央連動部材２０２に対応し、右側のセクションは、右連動部材２０３に対応する。
【００２６】
ブロック３０は、突起形態の突当部（第２側突起部の一例）２１と、突起形態の押部（第１側突起部の一例）２２とを含む。突当部２１は、ブロック３０の上側に設けられ、押部２２は、ブロック３０の下側に設けられる。ここで、ブロック３０の上側と下側とは、ブロック３０を備える電子回路基板２０がスロット１２に挿入される際における軸９０（又はキー組立体４０２）のＹ方向の位置を基準とする。電子回路基板２０のスロット１２への挿入時に、ブロック３０の突当部２１は、キー組立体４０２の上方を通ってキー組立体４０２よりもＹ方向奥側まで至る。また、電子回路基板２０のスロット１２への挿入時に、ブロック３０の押部２２は、キー組立体４０２の下方を通ってキー組立体４０２よりもＹ方向奥側まで至る。
【００２７】
ブロック３０は、電子回路基板２０の種類ごとに異なる構造を有する。以下、ブロック３０を区別する際は、ブロック３０に対して、符号３０Ａ乃至３０Ｃを用いて区別する。即ち、ブロック３０Ａ乃至３０Ｃは、それぞれ、種類が異なることを意味する。ブロック３０Ａ乃至３０Ｃは、電子回路基板２０Ａ乃至２０Ｃにそれぞれ取り付けられる。ブロック３０Ａ乃至３０Ｃは、互いに対して、突当部２１のＸ方向の位置（即ち左側、右側、真ん中のセクション）、及び、押部２２のＸ方向の位置（即ち左側、右側、真ん中のセクション）が異なる。即ち、ブロック３０Ａ乃至３０Ｃは、突当部２１及び押部２２の配置パターンが異なる。尚、突当部２１及び押部２２の配置パターンが異なるとは、完全に同じ配置ではないことを意味し、例えば突当部２１が同じ位置にあるが押部２２は異なる位置にある場合や、突当部２１が同じ位置にあるが押部２２の一部が異なる位置にある場合等を含む。
【００２８】
図２に示す例では、電子回路基板２０Ａは、ブロック３０Ａを含み、電子回路基板２０Ｂは、ブロック３０Ｂを含む。図２に示す例では、ブロック３０Ａは、ブロック３０Ｂとは、突当部２１のＸ方向の位置、及び、押部２２のＸ方向の位置が異なる。また、ブロック３０Ａ及び３０Ｂは、対応する電子回路基板２０Ａ及び２０Ｂの種類を表示するマーク３４を含んでよい。
【００２９】
次に、誤挿入防止装置４００の誤挿入防止機能を説明しつつ、誤挿入防止装置４００及びブロック３０の構造を説明する。
【００３０】
図３乃至図８は、誤挿入防止装置４００の誤挿入防止機能の説明図である。図３は、ブロック３０Ａ乃至３０Ｃの一例を示す斜視図であり、（Ａ）はブロック３０Ａの一例を示し、（Ｂ）はブロック３０Ｂの一例を示し、（Ｃ）はブロック３０Ｃの一例を示す。図４は、第１スロット１２１と第２スロット１２２とに挿入可能な電子回路基板２０の種類の組み合わせを表す表（以下、「組み合わせ制限表」と称する）の一例を示す。図５及び図７は、第１スロット１２１への電子回路基板２０の挿入が最初の場合の誤挿入防止装置４００の誤挿入防止機能の動作例を示す図である。図６は、ブロック３０Ａが右当接部材１０３及びそれに伴い右連動部材２０３を回転させる様子を示す図である。図８は、第２スロット１２２への電子回路基板２０の挿入が最初の場合の誤挿入防止装置４００の誤挿入防止機能の動作例を示す図である。
【００３１】
図４に示す組み合わせ制限表の見方は、以下のとおりである。○は、"挿入可能"であることを表し、×は、"挿入不可"であることを表す。"Ａ"は、電子回路基板２０Ａを表し、"Ｂ"は、電子回路基板２０Ｂを表し、"Ｃ"は、電子回路基板２０Ｃを表す。例えば、図４に示す例では、第１スロット１２１に電子回路基板２０Ａが挿入されたとき、第２スロット１２２は、"Ａ"は"○"、"Ｂ"は"○"、"Ｃ"は"×"となっている。これは、第１スロット１２１に電子回路基板２０Ａが挿入されたとき、第２スロット１２２には、電子回路基板２０Ａ又は２０Ｂは挿入可能であるが、電子回路基板２０Ｃは挿入不能であることを意味する。尚、組み合わせ制限表は、２種の電子回路基板２０をペアで隣接して実装する必要がある場合や、高電磁波・高温の電子回路基板２０を隣同士に実装したくない場合など、かかる事情を踏まえて設定されてよい。
【００３２】
ブロック３０Ａ乃至３０Ｃのそれぞれに対して、左側、右側、真ん中のセクションのうち、どのセクションに突当部２１及び押部２２を形成するかは、組み合わせ制限表に基づいて決定される。尚、突当部２１及び／又は押部２２は、左側、右側、真ん中のセクションのうちの１つのセクションのみに形成されるだけでなく、図３（Ｂ）及び図３（Ｃ）に示すように、２つのセクションに形成される場合もあり得る。
【００３３】
図４に示す組み合わせ制限表を実現するためのブロック３０Ａ乃至３０Ｃの構造（突当部２１及び押部２２の配置パターン）は以下の通りである。ブロック３０Ａは、図３（Ａ）に示すように、左側のセクションのみに突当部２１を有する。また、ブロック３０Ａは、図３（Ａ）に示すように、右側のセクションのみに押部２２を有する。ブロック３０Ｂは、図３（Ｂ）に示すように、真ん中のセクションのみに突当部２１を有する。また、ブロック３０Ｂは、図３（Ｂ）に示すように、左側と真ん中の２つのセクションに押部２２を有する。ブロック３０Ｃは、図３（Ｃ）に示すように、右側のセクションのみに突当部２１を有する。また、ブロック３０Ｃは、図３（Ｃ）に示すように、左側と右側の２つのセクションに押部２２を有する。
【００３４】
図５（Ａ）に示す初期状態では、第１スロット１２１及び第２スロット１２２は、空であり、如何なる電子回路基板２０も挿入されていない。この初期状態では、左当接部材１０１、中央当接部材１０２及び右当接部材１０３は、図５（Ａ）に示すように、下向きに延在する初期位置（第１角度位置の一例）にある。また、この初期状態では、左連動部材２０１、中央連動部材２０２及び右連動部材２０３は、図５（Ａ）に示すように、奥側に先端側が向いて水平方向に延在する初期位置（退避位置の一例）にある。
【００３５】
ここでは、図５（Ｂ）に示すように、図５（Ａ）に示す初期状態において、第１スロット１２１に電子回路基板２０Ａが最初に挿入される場合を想定する。上述の如く、ブロック３０Ａは、図３（Ａ）に示すように、右側のセクションのみに押部２２を有する。この場合、第１スロット１２１に電子回路基板２０Ａが挿入される際に、図６（Ａ）に示すように、右当接部材１０３は、ブロック３０Ａの押部２２に当接してＹ方向奥側に押される。これにより、右当接部材１０３は、図６（Ｂ）に示すように、初期位置から所定角度位置（第２角度位置の一例）に向けて回転させられる。これに伴い、右連動部材２０３は、図６（Ｂ）に示すように、Ｘ方向の軸まわりに初期位置から所定角度位置（制限位置の一例）に向けて回転させられる。
【００３６】
このようにして第１スロット１２１への電子回路基板２０Ａの挿入が完了すると、図４に示すように、第２スロット１２２への電子回路基板２０Ａ又は２０Ｂの挿入が可能であるが、第２スロット１２２への電子回路基板２０Ｃの挿入が不可となる。例えば、図７（Ａ）には、第２スロット１２２に電子回路基板２０Ｃが挿入される途中の状態が示されている。上述の如く、電子回路基板２０Ｃのブロック３０Ｃは、図３（Ｃ）に示すように、右側のセクションに突当部２１を有する。従って、第２スロット１２２に電子回路基板２０Ｃが挿入される際、右連動部材２０３は、図７（Ａ）にＰ部にて示すように、電子回路基板２０Ｃの突当部２１に干渉して第２スロット１２２への電子回路基板２０Ｃの挿入を阻む。尚、右連動部材２０３は、電子回路基板２０Ｃの突当部２１に干渉（当接）してＹ方向奥側に押されるが、奥側への右連動部材２０３の回転は、電子回路基板２０Ａの押部２２の存在により不能である。このようにして、第２スロット１２２への電子回路基板２０Ｃの挿入が不可となる。他方、図７（Ｂ）には、第２スロット１２２に電子回路基板２０Ｂが挿入される途中の状態が示されている。上述の如く、電子回路基板２０Ｃのブロック３０Ｂは、図３（Ｂ）に示すように、真ん中のセクションのみに突当部２１を有する。従って、第２スロット１２２に電子回路基板２０Ｂが挿入される際、右連動部材２０３は、電子回路基板２０Ｂの突当部２１に当接しない。このようにして、第２スロット１２２への電子回路基板２０Ｂの挿入が可能である。
【００３７】
尚、ここでは、一例として、第１スロット１２１に電子回路基板２０Ａが最初に挿入される場合を想定したが、第１スロット１２１に電子回路基板２０Ｂ又は２０Ｃが最初に挿入される場合も同様である。例えば、第１スロット１２１に電子回路基板２０Ｂが最初に挿入される場合は、左当接部材１０１及び中央当接部材１０２が初期位置から所定角度位置（第２角度位置の一例）まで回転させられる。これに伴い、左連動部材２０１及び中央連動部材２０２がＸ方向の軸まわりに初期位置から所定角度位置（制限位置の一例）まで回転させられる。これにより、左側のセクション及び真ん中のセクションの少なくともいずれかに突当部２１を有するブロック３０を備える電子回路基板２０、即ち本例では電子回路基板２０Ａ及び電子回路基板２０Ｂの第２スロット１２２への挿入が不可となる。他方、右側のセクションのみに突当部２１を有するブロック３０Ｃを備える電子回路基板２０Ｃは、第２スロット１２２への挿入が可能である。
【００３８】
次に、図８（Ａ）に示すように、図５（Ａ）に示す初期状態において、第２スロット１２２に電子回路基板２０Ａが最初に挿入される場合を想定する。即ち、第１スロット１２１が空である状態で第２スロット１２２に電子回路基板２０Ａが挿入される場合を想定する。
【００３９】
上述の如く、図５（Ａ）に示す初期状態では、左連動部材２０１、中央連動部材２０２及び右連動部材２０３は、奥側に向いて水平方向に延在する初期位置（退避位置の一例）にある。従って、第２スロット１２２に電子回路基板２０Ａが挿入される際、左連動部材２０１、中央連動部材２０２及び右連動部材２０３のいずれも、電子回路基板２０Ａの突当部２１に当接しない。従って、第１スロット１２１が空である状態では、図８（Ａ）に示すように、第２スロット１２２への電子回路基板２０Ａの挿入が可能である。
【００４０】
このようにして第２スロット１２２への電子回路基板２０Ａの挿入が完了すると、図４に示すように、第１スロット１２１への電子回路基板２０Ａの挿入が可能であるが、第２スロット１２２への電子回路基板２０Ｂ及び２０Ｃの挿入が不可となる。例えば、図８（Ｂ）には、第２スロット１２２への電子回路基板２０Ａの挿入が完了した状態で、第１スロット１２１に電子回路基板２０Ｂが挿入される途中の状態が示されている。上述の如く、電子回路基板２０Ｂのブロック３０Ｂは、図３（Ｂ）に示すように、左側と真ん中の２つのセクションに押部２２を有する。従って、第１スロット１２１に電子回路基板２０Ｂが挿入される際に、左当接部材１０１及び中央当接部材１０２は、押部２２に当接してＹ方向奥側に押される。これにより、左当接部材１０１及び中央当接部材１０２は、初期位置から所定角度位置（第２角度位置の一例）に向けて回転する方向の力を受ける。しかしながら、図８（Ｂ）にＰ部にて示すように、左連動部材２０１は、電子回路基板２０Ａの突当部２１に干渉して時計方向の回転が阻害される。これにより、左当接部材１０１の時計方向の回転が阻まれる。このようにして、第２スロット１２２への電子回路基板２０Ａの挿入が完了した状態では、第１スロット１２１への電子回路基板２０Ｂの挿入が不可となる。電子回路基板２０Ｃについても、同様に、第１スロット１２１に電子回路基板２０Ｃが挿入される際に、左当接部材１０１が電子回路基板２０Ｃの押部２２に当接してＹ方向奥側に押されるが、左当接部材１０１の回転は阻まれる。このようにして、第２スロット１２２への電子回路基板２０Ａの挿入が完了した状態では、第１スロット１２１への電子回路基板２０Ｃの挿入が不可となる。
【００４１】
図８（Ｃ）には、第２スロット１２２への電子回路基板２０Ａの挿入が完了した状態で、第１スロット１２１に電子回路基板２０Ａが挿入される途中の状態が示されている。上述の如く、電子回路基板２０Ａのブロック３０Ａは、図３（Ａ）に示すように、左側のセクションに押部２２を有していない。従って、第１スロット１２１に電子回路基板２０Ａが挿入される際に、左当接部材１０１が電子回路基板２０Ａの押部２２に当接することはなく、左当接部材１０１がＹ方向奥側に押されることはない。このようにして、第２スロット１２２への電子回路基板２０Ａの挿入が完了した状態では、第１スロット１２１への電子回路基板２０Ａの挿入が可能である。
【００４２】
このようにして、図３乃至図８に示す例によれば、図４に示す組み合わせ制限表に規定される通りに、隣接した第１スロット１２１及び第２スロット１２２への挿入可能な電子回路基板２０の種類の組み合わせを制限できる。即ち、第１スロット１２１に挿入される電子回路基板２０に係るブロック３０の押部２２の配置パターンに応じたパターンで３つの当接部材１０１乃至１０３のいずれか１つまたは２つが所定角度位置まで回転させられる。このようにして、第１スロット１２１に挿入される電子回路基板２０に係るブロック３０の押部２２の配置パターンに応じて、３つの連動部材２０１乃至２０３のうちの制限位置にある連動部材のパターンが変化する。３つの連動部材２０１乃至２０３のうちの制限位置にある連動部材のパターンが変化すると、第２スロット１２２に電子回路基板２０が挿入される際に連動部材２０１乃至２０３が当接するブロック３０の突当部２１の配置パターンが変化する。即ち、第２スロットへ挿入が不可となる電子回路基板の種類が変化する。このようにして、隣接した第１スロット１２１及び第２スロット１２２への挿入可能な電子回路基板２０の種類の組み合わせを制限できる。
【００４３】
また、図３乃至図８に示す例によれば、双方共に空の第１スロット１２１及び第２スロット１２２のいずれに対して電子回路基板２０を最初に挿入した場合でも、図４に示す組み合わせ制限表に規定される通りに、電子回路基板２０の種類の組み合わせを制限できる。
【００４４】
また、図３乃至図８に示す例によれば、第１スロット１２１及び第２スロット１２２の双方に電子回路基板２０が挿入されている状態において、第１スロット１２１及び第２スロット１２２のいずれからでも先に電子回路基板２０を取り出すことが可能である。即ち、隣接した第１スロット１２１及び第２スロット１２２からの電子回路基板２０の取り外し順序の制約を無くすことができる。
【００４５】
尚、上述の如く、ブロック３０Ａ乃至３０Ｃのそれぞれに対して、どのセクションに突当部２１及び押部２２を形成するかは、組み合わせ制限表に基づいて決定される。従って、組み合わせ制限表が異なれば、ブロック３０Ａ乃至３０Ｃの構造も異なることになる。例えば、図９は、図４に示した組み合わせ制限表とは異なる組み合わせ制限表の一例を示す。図１０は、図９に示す組み合わせ制限表を実現するためのブロック３０Ａ乃至３０Ｃの構造を示す図である。
【００４６】
図１０に示す例では、ブロック３０Ａは、図１０（Ａ）に示すように、左側のセクションのみに突当部２１を有する。また、ブロック３０Ａは、図１０（Ａ）に示すように、右側のセクションのみに押部２２を有する。ブロック３０Ｂは、図１０（Ｂ）に示すように、真ん中のセクションのみに突当部２１を有する。また、ブロック３０Ｂは、図１０（Ｂ）に示すように、真ん中のセクションのみに押部２２を有する。ブロック３０Ｃは、図１０（Ｃ）に示すように、左側と右側の２つのセクションに突当部２１を有する。また、ブロック３０Ｃは、図１０（Ｃ）に示すように、左側のセクションのみに押部２２を有する。
【００４７】
このようにして、電子回路基板２０Ａ乃至２０Ｃに取り付けられるブロック３０Ａ乃至３０Ｃの構造を変更することで、隣接した第１及び第２スロット１２１、１２２への挿入可能な電子回路基板２０の種類の組み合わせを容易に変更できる。即ち、ブロック３０Ａ乃至３０Ｃの突当部２１及び押部２２の配置パターンを適切に設定することで、隣接した第１及び第２スロット１２１、１２２への挿入可能な電子回路基板２０の種類の組み合わせを所望の組み合わせに制限できる。また、多様な配置パターンのブロック３０を用意しておけば、隣接した第１及び第２スロット１２１、１２２への挿入可能な電子回路基板２０の種類の組み合わせが多様化する場合でも、対応可能となる。これは、ブロック３０が電子回路基板２０に取り付け可能な場合（ブロック３０が電子回路基板２０と一体的に形成されない場合）に好適である。この場合、電子回路基板２０の種類に応じて適切な種類のブロック３０を電子回路基板２０に取り付ければよいためである。
【００４８】
次に、図１１乃至図１５を参照して、誤挿入防止装置４００の構造の一例について説明する。
【００４９】
図１１は、誤挿入防止装置４００の単品状態を示す斜視図である。図１２は、第１カバー４５０と第１キー４１０との関係を示す断面図である。図１３は、キー組立体４０２の分解途中の状態を示す斜視図である。図１４は、キー組立体４０２から第１カバー４５０及び第２カバー４６０を取り外した状態を示す斜視図であり、（Ａ）は、第１キー４１０、第２キー４２０及び第３キー４３０が組み付けられた状態を示し、（Ｂ）は、分解途中の状態を示す。図１５は、第１キー４１０の単品状態を示す斜視図である。
【００５０】
誤挿入防止装置４００は、２つの側壁４０１と、キー組立体４０２とを含む。
【００５１】
２つの側壁４０１は、互いに対してＸ方向に離間して配置される。Ｘ方向で２つの側壁４０１間の距離は、Ｘ方向における第１スロット１２１及び第２スロット１２２の延在範囲に対応してよい。
【００５２】
キー組立体４０２は、第１キー４１０と、第２キー４２０と、第３キー４３０と、第１カバー４５０と、第２カバー４６０とを含む。
【００５３】
第１キー４１０は、図１５に示すように、筒状の形態である。第１キー４１０は、開口部４１２と、開口部４１４と、スリット４１６とを含む。スリット４１６は、Ｘ方向に延在し、開口部４１２と開口部４１４の間に形成される。スリット４１６は、組み付け又は分解の際に第２キー４２０の中央当接部材１０２及び第３キー４３０の右当接部材１０３を通すために形成される。第１キー４１０は、開口部４１２に隣接して左当接部材１０１を有すると共に、開口部４１４に隣接して左連動部材２０１を有する。左当接部材１０１及び左連動部材２０１は、第１キー４１０の外周面に一体に形成されてよいし、取り付けられてもよい。開口部４１２は、中央当接部材１０２及び右当接部材１０３を露出させ、開口部４１４は、左連動部材２０１及び中央連動部材２０２を露出させる。
【００５４】
第２キー４２０は、筒状の形態である。第２キー４２０は、中央当接部材１０２及び中央連動部材２０２を備える。中央当接部材１０２及び中央連動部材２０２は、第２キー４２０の外周面に一体に形成されてよいし、取り付けられてもよい。第２キー４２０は、第１キー４１０の内径よりも僅かに小さい外径を有する。第２キー４２０は、第１キー４１０の中空内部に挿入される。第２キー４２０は、組み付け又は分解の際に第３キー４３０の右当接部材１０３を通すためのスリット（図示せず）を有する。また、第２キー４２０は、右当接部材１０３及び右連動部材２０３を露出させる開口部４２２，４２４を有する（図１４参照）。
【００５５】
第３キー４３０は、筒状の形態である。第３キー４３０は、右当接部材１０３及び右連動部材２０３を有する。右当接部材１０３及び右連動部材２０３は、第３キー４３０の外周面に一体に形成されてよいし、取り付けられてもよい。第３キー４３０は、第２キー４２０の内径よりも僅かに小さい外径を有する。第３キー４３０は、第２キー４２０の中空内部に挿入される。
【００５６】
第１カバー４５０は、外筒部４５２と、内軸部４５４と、端部４５６とを含む。外筒部４５２及び内軸部４５４は、端部４５６からＸ方向に延在する。径方向で外筒部４５２と内軸部４５４との間には、第１キー４１０、第２キー４２０及び第３キー４３０が挿入される。即ち、内軸部４５４まわりには、第３キー４３０、第２キー４２０及び第１キー４１０が重なる態様で設けられ、外筒部４５２が第１キー４１０の外周面をカバーする。内軸部４５４は、回転の軸９０（図２参照）を形成する。端部４５６は、側壁４０１に組み付けられる。外筒部４５２は、図１２に示すように、開口部４５８を有する。第１カバー４５０は、第１キー４１０、第２キー４２０及び第３キー４３０の右端部を保持しつつ、左連動部材２０１、中央連動部材２０２及び右連動部材２０３を開口部４５８から露出させる。開口部４５８は、内軸部４５４の軸まわりに所定角度範囲（本例では９０度）に形成される。開口部４５８は、左連動部材２０１、中央連動部材２０２及び右連動部材２０３のそれぞれの回転範囲を規制する機能を有する。即ち、図１２に示すように、左連動部材２０１は、開口部４５８の範囲のみ回転が可能である。尚、第１キー４１０の開口部４１４及び第２キー４２０の開口部４２４についても、内軸部４５４の軸まわりの同様の範囲に形成される。
【００５７】
第２カバー４６０は、実質的に第１カバー４５０と左右対称に形成される。第２カバー４６０は、第１キー４１０、第２キー４２０及び第３キー４３０の左端部を保持しつつ、左当接部材１０１、中央当接部材１０２及び右当接部材１０３を開口部４６８から露出させる。但し、第２カバー４６０は、第１カバー４５０の開口部４５８とは異なる周位置（内軸部４５４の軸まわりの範囲）に、開口部４６８を有する。即ち、開口部４６８は、開口部４５８に対して反時計方向で９０度ずれた位置に形成される。開口部４６８には、３つの板バネ６０が設けられる。３つの板バネ６０は、それぞれ、左当接部材１０１、中央当接部材１０２及び右当接部材１０３を初期位置に向けて（反時計方向に）付勢する。
【００５８】
図１１乃至図１５に示す誤挿入防止装置４００の構造によれば、左当接部材１０１、中央当接部材１０２及び右当接部材１０３のそれぞれは、開口部４６８，４１２，４２２による規制によって、初期位置から所定角度範囲（本例では９０度）だけ回転可能となる。また、左連動部材２０１、中央連動部材２０２、右連動部材２０３のそれぞれは、開口部４５８，４１４，４２４による規制によって、初期位置から所定角度範囲（本例では９０度）だけ回転可能となる。左当接部材１０１、中央当接部材１０２及び右当接部材１０３のそれぞれは、板バネ６０により付勢され、所定角度位置（第２角度位置の一例）まで回転させた電子回路基板２０が第１スロット１２１内から取り出されると、初期位置へ復帰される。左連動部材２０１、中央連動部材２０２、右連動部材２０３のそれぞれは、第１キー４１０、第２キー４２０及び第３キー４３０によって、左当接部材１０１、中央当接部材１０２及び右当接部材１０３のそれぞれと一体に形成される。これにより、左連動部材２０１、中央連動部材２０２、右連動部材２０３のそれぞれの回転を、左当接部材１０１、中央当接部材１０２及び右当接部材１０３のそれぞれの回転に連動させる機構を簡易に形成できる。また、キー組立体４０２は、図１３及び図１４に示すように、左右方向に分離可能な第１カバー４５０と第２カバー４６０の径方向内側に第１キー４１０、第２キー４２０及び第３キー４３０を組み付けた筒構造となるので、組み付けや分解が容易である。
【００５９】
図１６は、他の実施例（第２実施例）による誤挿入防止装置５００を示す斜視図である。図１７は、左連動部材２０１と第１カバー５５０との関係を示す断面図である。誤挿入防止装置５００は、上述した第１実施例による誤挿入防止装置４００に対して、左連動部材２０１、中央連動部材２０２、右連動部材２０３のそれぞれの初期位置が異なる。誤挿入防止装置５００は、他の構造については、上述した誤挿入防止装置４００と実質的に同一であってよい。
【００６０】
左連動部材２０１、中央連動部材２０２、右連動部材２０３は、図１６に示すように、キー組立体５０２よりも上方に延在する初期位置（制限位置の一例）にある。図１６に示す例では、左連動部材２０１、中央連動部材２０２、右連動部材２０３は、先端側が手前側へ斜め上方に向く態様で延在する初期位置にある。左連動部材２０１は、図１７に示すように、初期位置からの反時計まわりの回転が第１カバー５５０により規制される。左連動部材２０１は、初期位置から退避位置への時計まわりの回転のみが許容される。退避位置では、左連動部材２０１は、第１カバー５５０のＹ方向手前側で水平方向に延在する。尚、左連動部材２０１の回転可能な範囲は、任意であるが、図１７に示す例では、９０度よりも小さい。中央連動部材２０２及び右連動部材２０３についても、左連動部材２０１と同様である。
【００６１】
図１８は、誤挿入防止装置５００により実現される組み合わせ制限表の一例を示す図である。図１９は、図１８に示す組み合わせ制限表を実現するためのブロック３００Ａ乃至３００Ｃの構造を示す図である。図２０は、誤挿入防止装置５００の誤挿入防止機能の動作例を示す図である。尚、図２０では、見易さの都合上、本来ブロック３００Ａ等が取り付けられている電子回路基板２０や第１スロット１２１等の図示は省略されている。
【００６２】
ブロック３００Ａ乃至３００Ｃは、上述した第１実施例による誤挿入防止装置４００に対して用いられるブロック３０Ａ乃至３０Ｃに対して、凹部２６を有する点が異なる。凹部２６は、Ｘ方向に延在し、左右方向で３つのセクション（左側、右側、真ん中）の全体に形成される。凹部２６は、Ｚ方向（第２方向の一例）では、突当部２１と押部２２の間に形成される。
【００６３】
図１８に示す組み合わせ制限表を実現するためのブロック３００Ａ乃至３００Ｃの構造は以下の通りである。ブロック３００Ａは、図１９（Ａ）に示すように、右側のセクションのみに突当部２１を有する。また、ブロック３００Ａは、図１９（Ａ）に示すように、真ん中のセクションのみに押部２２を有する。ブロック３００Ｂは、図１９（Ｂ）に示すように、真ん中のセクションのみに突当部２１を有する。また、ブロック３００Ｂは、図１９（Ｂ）に示すように、左側と右側の２つのセクションに押部２２を有する。ブロック３００Ｃは、図１９（Ｃ）に示すように、左側のセクションのみに突当部２１を有する。また、ブロック３００Ｃは、図１９（Ｃ）に示すように、右側のセクションのみに押部２２を有する。
【００６４】
図２０（Ａ）に示す例では、第１スロット１２１及び第２スロット１２２（図示せず）は共に空の状態（初期状態）が想定される。この初期状態では、図２０（Ａ）に示すように、例えば第２スロット１２２に、ブロック３００Ａを備える電子回路基板２０Ａが挿入される際、右連動部材２０３は、ブロック３００Ａの突当部２１に当接する。右連動部材２０３は、Ｙ方向奥側に押されるが、上述の如く初期位置（制限位置の一例）から反時計回りの回転は不能である。このようにして、第２スロット１２２に電子回路基板２０Ａが挿入される際、初期位置にある右連動部材２０３は、ブロック３００Ａの突当部２１に干渉して、電子回路基板２０Ａの第２スロット１２２への挿入を阻む。同様に、ブロック３００Ｂを備える電子回路基板２０Ｂ及びブロック３００Ｃを備える電子回路基板２０Ｃについても、第２スロット１２２への挿入は不可である。このようにして、第１スロット１２１が空である状態では、初期位置（制限位置の一例）にある左連動部材２０１、中央連動部材２０２及び右連動部材２０３によって、突当部２１を有する全ての種類の電子回路基板２０の第２スロット１２２への挿入が不可となる。従って、誤挿入防止装置５００では、挿入順序も規制できる。
【００６５】
図２０（Ｂ）に示す例では、ブロック３００Ｃを備える電子回路基板２０Ｃが第１スロット１２１に最初に挿入される場合を想定する。この場合、第１スロット１２１に電子回路基板２０Ｃが挿入される際に、右当接部材１０３は、ブロック３００Ｃの押部２２に当接してＹ方向奥側に押される。これにより、右当接部材１０３は、初期位置（第１角度位置の一例）から所定角度位置（第２角度位置の一例）まで回転させられる。これに伴い、右連動部材２０３は、図２０（Ｂ）にて矢印Ｑにより示すように、Ｘ方向の軸まわりに初期位置（制限位置の一例）から所定角度位置（退避位置の一例）まで回転させられる。
【００６６】
図２０（Ｃ）に示す例では、ブロック３００Ｃを備える電子回路基板２０Ｃが第１スロット１２１に挿入された状態で、ブロック３００Ａを備える電子回路基板２０Ａが第２スロット１２２に挿入される場合を想定する。ブロック３００Ｃを備える電子回路基板２０Ｃが第１スロット１２１に挿入された状態では、図２０（Ｂ）に示すように、左連動部材２０１及び中央連動部材２０２が初期位置（制限位置の一例）にある。従って、真ん中のセクションに突当部２１を有するブロック３００Ｂを備える電子回路基板２０Ｂや、左側のセクションに突当部２１を有するブロック３００Ｃを備える電子回路基板２０Ｃは、第２スロット１２２への挿入が依然として不可である（図１８参照）。例えば、ブロック３００Ｂを備える電子回路基板２０Ｂが第２スロット１２２に挿入される際、中央連動部材２０２は、ブロック３００Ｂの突当部２１に干渉して電子回路基板２０Ｂの第２スロット１２２への挿入を阻む。これに対して、ブロック３００Ａを備える電子回路基板２０Ａは、左側及び真ん中のセクションに突当部２１を有していない。従って、ブロック３００Ａを備える電子回路基板２０Ａが第２スロット１２２に挿入される際、初期位置にある左連動部材２０１及び中央連動部材２０２は、ブロック３００Ａの突当部２１には当接しない。また、所定角度位置（退避位置の一例）にある右連動部材２０３は、ブロック３００Ａの突当部２１には干渉せず、凹部２６内に入り、電子回路基板２０Ａの第２スロット１２２への挿入を阻害しない。このようにして、第１スロット１２１への電子回路基板２０Ｃの挿入が完了した状態では、第２スロット１２２への電子回路基板２０Ａの挿入が可能となる。
【００６７】
このように、図１６乃至図２０に示す例によれば、図１８に示す組み合わせ制限表に規定される通りに、隣接した第１スロット１２１及び第２スロット１２２への挿入可能な電子回路基板２０の種類の組み合わせを制限できる。尚、図１８に示す組み合わせ制限表は、あくまで一例であり、上述の如く組み合わせ制限表を変更した場合は、それに伴ってブロック３００Ａ乃至３００Ｃの構造を変更すればよい。
【００６８】
また、図１６乃至図２０に示す例によれば、第１スロット１２１及び第２スロット１２２が共に空である状態において、第２スロット１２２には、突当部２１を有する電子回路基板２０を最初に挿入できず、挿入順を規制できる。
【００６９】
また、図１６乃至図２０に示す例によれば、第１スロット１２１及び第２スロット１２２の双方に電子回路基板２０が挿入されている状態において、第１スロット１２１及び第２スロット１２２のいずれからでも先に電子回路基板２０を取り出すことが可能である。即ち、隣接した第１スロット１２１及び第２スロット１２２からの電子回路基板２０の取り外し順序の制約を無くすことができる。
【００７０】
図２１は、他の実施例（第３実施例）による誤挿入防止装置６００を示す斜視図である。図２２は、誤挿入防止装置６００により実現される組み合わせ制限表の一例を示す図である。
【００７１】
誤挿入防止装置６００は、上述した第１実施例による誤挿入防止装置４００に対して、左連動部材２０１、中央連動部材２０２及び右連動部材２０３が１組でなく、３組有する点が異なる。
【００７２】
第１組Ｇ１の左連動部材２０１、中央連動部材２０２及び右連動部材２０３は、第２スロット１２２に対して設けられ、第２組Ｇ２の左連動部材２０１、中央連動部材２０２及び右連動部材２０３は、第３スロット１２３に対して設けられる。第３スロット１２３は、第２スロット１２２に対して右側に隣接する。第３組Ｇ３の左連動部材２０１、中央連動部材２０２及び右連動部材２０３は、第４スロット１２４に対して設けられる。第４スロット１２４は、第３スロット１２３に対して右側に隣接する。
【００７３】
第２組Ｇ２の左連動部材２０１及び第３組Ｇ３の左連動部材２０１は、第１組Ｇ１の左連動部材２０１と同様に動く。例えば、第２組Ｇ２の左連動部材２０１及び第３組Ｇ３の左連動部材２０１は、図１１等に示した第１キー４１０の長さを延長して形成できる。第２組Ｇ２の中央連動部材２０２及び第３組Ｇ３の中央連動部材２０２や、第２組Ｇ２の右連動部材２０３及び第３組Ｇ３の右連動部材２０３についても同様である。
【００７４】
図２１に示す例では、ブロック３０Ａを備える電子回路基板２０Ａが第１スロット１２１に最初に挿入される場合を想定する。この場合、図５を参照して上述した如く、各組Ｇ１乃至Ｇ３の右連動部材２０３が制限位置まで回転される（図２１中の矢印参照）。これにより、ブロック３０Ｃを備える電子回路基板２０Ｃの第２乃至第４スロット１２２乃至１２４への挿入が不可となる（図２２参照）。
【００７５】
このように、図２１に示す例によれば、第１スロット１２１への挿入可能な電子回路基板２０の種類と、第１スロット１２１に隣接する３つの第２乃至第４スロット１２２乃至１２４への挿入可能な電子回路基板２０の種類との組み合わせを制限できる。尚、図２１に示す組み合わせ制限表は、あくまで一例であり、上述の如く組み合わせ制限表を変更した場合は、それに伴ってブロック３０Ａ乃至３０Ｃの構造を変更すればよい。また、図２１に示す例では、第１スロット１２１に隣接する３つの第２乃至第４スロット１２２乃至１２４を対象としているが、第１スロット１２１に隣接する２つの第２及び第３スロット１２２及び１２３を対象としてもよい。或いは、第１スロット１２１に隣接する４つ以上のスロット１２を対象としてもよい。その他、図２１に示す例によれば、図３乃至図８に示した例と同様の効果を得ることができる。
【００７６】
尚、上述した第２実施例による誤挿入防止装置５００についても、誤挿入防止装置６００と同様の考え方で、左連動部材２０１、中央連動部材２０２及び右連動部材２０３を複数組設定してもよい。
【００７７】
図２３は、他の一例による電子装置２を示す斜視図である。電子装置２は、上述した電子装置１に対して、誤挿入防止装置４００が１つのスロット１２に対して２つ設けられる点が異なる。即ち、電子装置２では、複数の誤挿入防止装置４００がＸ方向及びＹ方向にオフセットした２列で設けられる。ここでは、便宜上、Ｙ方向手前側の誤挿入防止装置４００については、誤挿入防止装置４００Ｆと称し、Ｙ方向奥側の誤挿入防止装置４００については、誤挿入防止装置４００Ｂと称する。
【００７８】
ブロック３０１Ａ乃至３０１Ｃの構造は、上述したブロック３０Ａ乃至３０Ｃに対して、突当部２１及び押部２２が突当部２１０及び押部２２０に置換された点が異なる。突当部２１０及び押部２２０は、突当部２１及び押部２２のＹ方向の長さを長くした構造である。突当部２１０及び押部２２０のＹ方向の長さは、Ｙ方向で奥側の誤挿入防止装置４００Ｂに突当部２１０及び押部２２０が作用できるように決定される。
【００７９】
図２３に示す例によれば、隣接した第１及び第２スロット１２１、１２２への挿入可能な電子回路基板２０の種類の組み合わせのみならず、隣接した第２及び第３スロット１２２、１２３への挿入可能な電子回路基板２０の種類の組み合わせをも制限できる。このようにして、あるスロット１２に対して挿入可能な電子回路基板２０の種類を、そのスロット１２の左右に隣接する各スロット１２に対して挿入可能な電子回路基板２０の種類との関係で制限できる。
【００８０】
尚、図２３に示す例では、電子回路基板２０Ｄは、如何なるブロック３０も備えていない。電子回路基板２０Ｄは、隣接するスロット１２に挿入可能な電子回路基板２０の種類を選ばない。このように、ブロック３０も備えない電子回路基板２０Ｄが存在してもよい。即ち、電子装置２は、ブロック３０も備えない電子回路基板２０Ｄを含んでよい。これは、上述した電子装置１についても同様である。
【００８１】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【００８２】
例えば、上述した実施例では、左当接部材１０１、中央当接部材１０２及び右当接部材１０３の３つの当接部材を備えているが、３つのうちの任意の１つが省略されてもよい。この場合、左連動部材２０１、中央連動部材２０２及び右連動部材２０３のうちの、省略された当接部材に対応する連動部材が省略されてよい。また、逆に、４つ以上の当接部材及び連動部材を設定してもよい。いずれの場合も、２つ以上の当接部材のうちの任意の２つの当接部材が第１当接部材と第２当接部材の各一例となり、その２つの当接部材に連動する連動部材が第１連動部材と第２連動部材の各一例となる。また、３つ以上の当接部材のうちの任意の３つの当接部材が第１乃至第３当接部材の各一例となり、その３つの当接部材に連動する各連動部材が第１乃至第３連動部材の各一例となる。
【００８３】
また、上述した実施例では、各種の電子回路基板２０は、上述した電子回路基板２０Ｄを除いて、突当部２１及び押部２２の双方を有しているが、突当部２１及び押部２２の一方のみしか有さない種類の電子回路基板を含んでよい。例えば、第１スロット１２１にのみ挿入されることが予定される種類の電子回路基板２０は、突当部２１を有さなくてもよい。或いは、誤挿入防止装置５００の場合は、第１スロット１２１にのみ挿入されることが予定される種類の電子回路基板２０は、３つのセクション（左側、右側、真ん中）の全てに突当部２１を有してもよい。或いは、誤挿入防止装置５００の場合は、第１スロット１２１にのみ挿入されることが予定される種類の電子回路基板２０は、突当部２１及び凹部２６の双方を有さなくてよい。同様に、第２スロット１２２にのみ挿入されることが予定される種類の電子回路基板２０は、押部２２を有さなくてもよい。
【００８４】
また、上述した実施例において、左当接部材１０１、中央当接部材１０２及び右当接部材１０３と、左連動部材２０１、中央連動部材２０２及び右連動部材２０３とは、軸９０に対して上下逆側に配置されてもよい。これに伴い、突当部２１及び押部２２（突当部２１０及び押部２２０についても同様）は、軸９０に対して上下逆側に配置されてよい。
【００８５】
また、上述した実施例では、突当部２１及び押部２２（突当部２１０及び押部２２０についても同様）は、共通の３つのセクション（左側、右側、真ん中）で形成されているが、これに限られない。例えば、突当部２１が形成される３つのセクションと、押部２２が形成される３つのセクションとは、Ｘ方向の位置がオフセットしていてもよい。尚、押部２２が形成される３つのセクションは、Ｘ方向の第１位置、第２位置及び第５位置の一例であり、突当部２１が形成される３つのセクションは、Ｘ方向の第３位置、第４位置及び第６位置の一例である。
【００８６】
また、上述した実施例では、左当接部材１０１、中央当接部材１０２及び右当接部材１０３と、左連動部材２０１、中央連動部材２０２及び右連動部材２０３とは、共通の軸９０まわりに回転可能である、これに限られない。例えば、左当接部材１０１、中央当接部材１０２及び右当接部材１０３の回転軸と、左連動部材２０１、中央連動部材２０２及び右連動部材２０３の回転軸とは、同軸でなくてもよい。
【００８７】
また、上述した実施例では、電子装置１、２は、光伝送装置を形成しているが、その他の用途であってよい。例えば、電子装置１、２は、サーバの形態であってよく、この場合、シェルフ１０はラックの形態であってよい。また、この場合、電子回路基板２０は、ラックの各段（スロット１２に対応）に搭載される。この場合、電子回路基板２０は、ＰＳＵ（Power Supply Unit）、マザーボード、ハードディスクドライブ（ＨＤＤ：Hard Disk Drive）、冷却ファン等が実装されてよい。
【００８８】
なお、以上の実施例に関し、さらに以下の付記を開示する。
（付記１）
第１スロット及び第２スロットが第１方向に隣接して形成されるシェルフと、
第１スロット及び第２スロットの少なくともいずれか一方に挿入可能であり、前記第１方向及び前記第１スロットへの挿入方向の双方に対して垂直な方向を第２方向としたとき、前記第２方向の第１側に設けられる第１側突起部、及び、前記第２方向の前記第１側とは異なる第２側に設けられる第２側突起部のうちの少なくともいずれか一方の突起部を有し、種類に相違に応じて前記第１側突起部及び前記第２側突起部の配置パターンが異なる複数種類の電子回路基板と、
前記第１スロットに対して設けられ、前記第１方向の軸まわりに回転可能であり、前記第２スロットが空である状態で、前記第１方向の第１位置に前記第１側突起部を持つ種類の電子回路基板が前記第１スロットに挿入される際に、前記第１位置の第１側突起部に当接して第１角度位置から第２角度位置まで回転させられる第１当接部材と、
前記第１スロットに対して設けられ、前記第１方向の軸まわりに回転可能であり、前記第２スロットが空である状態で、前記第１方向の前記第１位置とは異なる第２位置に前記第１側突起部を持つ種類の電子回路基板が前記第１スロットに挿入される際に、前記第２位置の第１側突起部に当接して第１角度位置から第２角度位置まで回転させられる第２当接部材と、
前記第２スロットに対して設けられ、前記第１当接部材の第１角度位置から第２角度位置までの回転に連動して、前記第１方向の軸まわりに制限位置から退避位置まで又は退避位置から制限位置まで回転し、前記退避位置にあるときは、前記複数種類の電子回路基板のうちの任意の電子回路基板が前記第２スロットに挿入される際に、前記任意の電子回路基板の前記第２側突起部と干渉せず、前記制限位置にあるときは、前記第１方向の第３位置に前記第２側突起部を持つ種類の電子回路基板が前記第２スロットに挿入される際に、前記第３位置の前記第２側突起部と干渉して、前記第３位置に前記第２側突起部を持つ種類の電子回路基板の前記第２スロットへの挿入を阻む第１連動部材と、
前記第２スロットに対して設けられ、前記第２当接部材の第１角度位置から第２角度位置までの回転に連動して、前記第１方向の軸まわりに制限位置から退避位置まで又は退避位置から制限位置まで回転し、前記退避位置にあるときは、前記複数種類の電子回路基板のうちの任意の電子回路基板が前記第２スロットに挿入される際に、前記任意の電子回路基板の前記第２側突起部と干渉せず、前記制限位置にあるときは、前記第１方向の前記第３位置とは異なる第４位置に前記第２側突起部を持つ種類の電子回路基板が前記第２スロットに挿入される際に、前記第４位置の前記第２側突起部と干渉して、前記第４位置に前記第２側突起部を持つ種類の電子回路基板の前記第２スロットへの挿入を阻む第２連動部材とを含む、電子装置。
（付記２）
前記第１当接部材、前記第２当接部材、前記第１連動部材及び前記第２連動部材に係る前記第１方向の各軸は、共通であり、
前記電子回路基板が前記第１スロットに挿入される際の状態で見たとき、前記第１側突起部は、前記第２方向で前記第１方向の軸に対して前記第１側に位置し、前記第２側突起部は、前記第２方向で前記第１方向の軸に対して前記第２側に位置する、付記１に記載の電子装置。
（付記３）
前記第１当接部材及び前記第２当接部材は、前記第１方向で隣接して設けられ、
前記電子回路基板が前記第１スロットに挿入される際の状態で見たとき、前記第１位置の前記第１側突起部は、前記第１方向で前記第１当接部材と同一の位置にあり、前記第２位置の前記第１側突起部は、前記第１方向で前記第２当接部材と同一の位置にあり、
前記第１連動部材及び前記第２連動部材は、前記第１方向で隣接して設けられ、
前記電子回路基板が前記第２スロットに挿入される際の状態で見たとき、前記第３位置の前記第２側突起部は、前記第１方向で前記第１連動部材と同一の位置にあり、前記第４位置の前記第２側突起部は、前記第１方向で前記第２連動部材と同一の位置にある、付記１に記載の電子装置。
（付記４）
前記第１当接部材及び前記第１連動部材は、筒状の第１筒部材に形成され、
前記第２当接部材及び前記第２連動部材は、前記第１筒部材の内径側を通って前記第１筒部材に重なる態様で設けられる筒状の第２筒部材に形成される、付記１に記載の電子装置。
（付記５）
前記第１側突起部及び前記第２側突起部を異なる配置パターンで備える複数種類のブロックを備え、
前記複数種類の電子回路基板は、種類ごとに、異なる種類の前記ブロックが取り付けられる、付記１に記載の電子装置。
（付記６）
前記ブロックは、前記第２方向の前記第１側と前記第２側との間に前記第１方向に延在する凹部を有し、前記凹部は、前記ブロックを備える電子回路基板が前記第２スロットに挿入される際に、前記退避位置にあるときの前記第１連動部材及び前記第２連動部材を受け入れるように形成される、付記５に記載の電子装置。
（付記７）
前記第１側突起部に関する前記第１方向の前記第１位置は、前記第２側突起部に関する前記第１方向の前記第３位置と同じであり、前記第１側突起部に関する前記第１方向の前記第２位置は、前記第２側突起部に関する前記第１方向の前記第４位置と同じである、付記１〜６のうちのいずれか１項に記載の電子装置。
（付記８）
前記第１スロットに対して設けられ、前記第１方向の軸まわりに回転可能であり、前記第２スロットが空である状態で、前記第１方向の前記第１位置及び前記第２位置とは異なる第５位置に前記第１側突起部を持つ種類の電子回路基板が前記第１スロットに挿入される際に、前記第５位置の第１側突起部に当接して第１角度位置から第２角度位置まで回転させられる第３当接部材と、
前記第２スロットに対して設けられ、前記第３当接部材の第１角度位置から第２角度位置までの回転に連動して、前記第１方向の軸まわりに制限位置から退避位置まで又は退避位置から制限位置まで回転し、前記退避位置にあるときは、前記複数種類の電子回路基板のうちの任意の電子回路基板が前記第２スロットに挿入される際に、前記任意の電子回路基板の前記第２側突起部に干渉せず、前記制限位置にあるときは、前記第１方向の前記第３位置及び前記第４位置とは異なる第６位置に前記第２側突起部を持つ種類の電子回路基板が前記第２スロットに挿入される際に、前記第６位置の前記第２側突起部と干渉して、前記第６位置に前記第２側突起部を持つ種類の電子回路基板の前記第２スロットへの挿入を阻む第３連動部材とを含む、付記１に記載の電子装置。
（付記９）
前記複数種類の電子回路基板は、前記第１側突起部及び前記第２側突起部のいずれか一方のみを有する種類の電子回路基板を含む、付記１に記載の電子装置。
（付記１０）
前記複数種類の電子回路基板に加えて、前記第１側突起部及び前記第２側突起部のいずれも有さない種類の電子回路基板を更に含む、付記１に記載の電子装置。
（付記１１）
第１スロット及び第２スロットが第１方向に隣接して形成されるシェルフにおける前記第１スロットに対して設けられ、前記第２スロットが空である状態で前記第１スロットに電子回路基板が挿入される際に、前記電子回路基板の種類に応じた異なるパターンで前記電子回路基板に当接し、当接した当接部材だけが第１角度位置から第２角度位置まで前記第１方向の軸まわりに回転させられる複数の当接部材と、
前記複数の当接部材のそれぞれに対応して前記第２スロットに対して設けられ、対応する前記当接部材の第１角度位置から第２角度位置までの回転に連動して、制限位置から退避位置まで又は退避位置から制限位置まで前記第１方向の軸まわりに回転し、前記制限位置にある連動部材のパターンに応じて、前記第２スロットへ挿入可能な電子回路基板の種類を異ならせる複数の連動部材とを含む、誤挿入防止装置。
（付記１２）
第１スロット及び第２スロットが第１方向に隣接して形成されるシェルフと、
前記シェルフにおける前記第１スロットに対して設けられ、前記第２スロットが空である状態で前記第１スロットに電子回路基板が挿入される際に、前記電子回路基板の種類に応じた異なるパターンで前記電子回路基板に当接し、当接した当接部材だけが第１角度位置から第２角度位置まで前記第１方向の軸まわりに回転させられる複数の当接部材と、
前記複数の当接部材のそれぞれに対応して前記第２スロットに対して設けられ、対応する前記当接部材の第１角度位置から第２角度位置までの回転に連動して、制限位置から退避位置まで又は退避位置から制限位置まで前記第１方向の軸まわりに回転し、前記制限位置にある連動部材のパターンに応じて、前記第２スロットへ挿入可能な電子回路基板の種類を異ならせる複数の連動部材とを含む、電子装置。
（付記１３）
シェルフに形成される第１スロット及び第２スロットの並び方向を第１方向とし、前記第１方向と前記第１スロットへの挿入方向の双方に対して垂直な方向を第２方向としたとき、前記第２方向の第１側に設けられる第１側突起部、及び、前記第２方向の前記第１側とは異なる第２側に設けられる第２側突起部を含み、前記第１側突起部及び前記第２側突起部の前記第１方向の配置パターンが、取り付けられる電子回路基板の種類に応じて異なる複数種類のブロックと、
前記第１スロットに対して設けられ、前記第２スロットが空である状態で前記第１スロットに任意の種類の電子回路基板が挿入される際に、挿入される前記電子回路基板の種類に対応する種類の前記ブロックが有する前記第２側突起部の前記第１方向の位置に対応した前記第１方向の位置にある当接部材だけが、挿入される前記電子回路基板に当接し、当接した当接部材だけが第１角度位置から第２角度位置まで前記第１方向の軸まわりに回転させられる複数の当接部材と、
前記複数の当接部材のそれぞれに対応して前記第２スロットに対して設けられ、対応する前記当接部材の第１角度位置から第２角度位置までの回転に連動して、制限位置から退避位置まで又は退避位置から制限位置まで前記第１方向の軸まわりに回転し、前記制限位置にある連動部材の前記第１方向の位置に対応した前記第１方向の位置に前記第１側突起部を有する種類の前記ブロックを備える種類の電子回路基板の、前記第２スロットへの挿入を不能とする複数の連動部材と含む、誤挿入防止システム。
【符号の説明】
【００８９】
１，２    電子装置
１０    シェルフ
１２（１２１〜１２４）    スロット（第１〜第４スロット）
２０（２０Ａ〜２０Ｄ）    電子回路基板
２１，２１０    突当部
２２，２２０    押部
２６    凹部
３０（３０Ａ〜３０Ｃ，３００Ａ〜３００Ｃ，３０１Ａ〜３０１Ｃ）    ブロック
９０    軸
１０１〜１０３    当接部材
４００（４００Ｂ，４００Ｆ），５００，６００    誤挿入防止装置
４０２，５０２    キー組立体
４１０    第１キー
４２０    第２キー
４３０    第３キー
【図１】
0006330588.tif 000002
【図２】
0006330588.tif 000003
【図３】
0006330588.tif 000004
【図４】
0006330588.tif 000005
【図５】
0006330588.tif 000006
【図６】
0006330588.tif 000007
【図７】
0006330588.tif 000008
【図８】
0006330588.tif 000009
【図９】
0006330588.tif 000010
【図１０】
0006330588.tif 000011
【図１１】
0006330588.tif 000012
【図１２】
0006330588.tif 000013
【図１３】
0006330588.tif 000014
【図１４】
0006330588.tif 000015
【図１５】
0006330588.tif 000016
【図１６】
0006330588.tif 000017
【図１７】
0006330588.tif 000018
【図１８】
0006330588.tif 000019
【図１９】
0006330588.tif 000020
【図２０】
0006330588.tif 000021
【図２１】
0006330588.tif 000022
【図２２】
0006330588.tif 000023
【図２３】
0006330588.tif 000024